【手続補正書】
【提出日】平成17年11月28日(2005.11.28)
【手続補正１】
【補正対象書類名】明細書
【補正対象項目名】全文
【補正方法】変更
【補正の内容】
【書類名】              明細書
【発明の名称】          通信端末
【特許請求の範囲】
【請求項１】  発信側端末の発信者番号を含む呼設定信号を受信する受信部と、発信者番号及び時間帯に応じた応答メッセージ情報を対応付けて記憶する発信者番号記憶部と、発信者に応答する複数の応答メッセージを前記応答メッセージ情報と対応付けて記憶する応答メッセージ記憶部と、前記呼設定信号に含まれる発信者番号及び該呼設定信号を受信した時間帯に基づいて、前記応答メッセージ記憶部に記録されている前記応答メッセージ情報を選択する応答メッセージ選択部と、この応答メッセージ選択部の選択した前記応答メッセージ情報に対応する前記応答メッセージを前記応答メッセージ記憶部から読み出して送信する送信部とを設けたことを特徴とする通信端末。
【請求項２】  発信者番号記憶部は、時間切り換え機能を作動させる時間切り換えコードを発信者番号と対応付けて記憶し、応答メッセージ選択部は、受信した発信者番号と一致する発信者番号に対応して前記時間切り換えコードが前記発信者番号記憶部に記憶されているときに、発信者番号及び時間帯に基づいて応答メッセージ情報を選択することを特徴とする請求項１に記載の通信端末。
【請求項３】  発信者番号記憶部は、強制呼び出し機能を作動させる強制呼び出しコードを発信者番号と対応付けて記憶しており、応答メッセージ選択部は、受信した発信者番号と一致する発信者番号に対応して前記強制呼び出しコードが前記発信者番号記憶部に記憶されているときには、発信者番号及び時間帯に基づく応答メッセージ情報の選択を行わないことを特徴とする請求項１に記載の通信端末。
【請求項４】  発信側端末の発信者番号を含む呼設定信号を受信する受信部と、発信者番号及び時間帯に応じた応答メッセージを対応付けて記憶する記憶部と、前記呼設定信号に含まれる発信者番号及び該呼設定信号を受信した時間帯に基づいて、前記記憶部に記録されている前記応答メッセージを選択する応答メッセージ選択部と、この応答メッセージ選択部の選択した前記応答メッセージを前記応答メッセージ記憶部から読み出して送信する送信部とを設けたことを特徴とする通信端末。
【請求項５】  記憶部は、時間切り換え機能を作動させる時間切り換えコードを発信者番号と対応付けて記憶し、応答メッセージ選択部は、受信した発信者番号と一致する発信者番号に対応して前記時間切り換えコードが前記記憶部に記憶されているときに、発信者番号及び時間帯に基づいて応答メッセージを選択することを特徴とする請求項４に記載の通信端末。
【請求項６】  記憶部は、強制呼び出し機能を作動させる強制呼び出しコードを発信者番号と対応付けて記憶しており、応答メッセージ選択部は、受信した発信者番号と一致する発信者番号に対応して前記強制呼び出しコードが前記記憶部に記憶されているときには、発信者番号及び時間帯に基づく応答メッセージの選択を行わないことを特徴とする請求項４に記載の通信端末。
【請求項７】 発信側端末の発信者番号を含む呼設定信号を受信する受信部と、発信者番号と対応付けて強制呼び出しを設定する強制呼び出し設定部と、時間帯に応じた複数の応答メッセージを記憶する応答メッセージ記憶部と、前記呼設定信号を受信した時間帯に基づいて、前記応答メッセージ記憶部に記録されている前記応答メッセージを選択する応答メッセージ選択部と、この応答メッセージ選択部の動作に応じて前記応答メッセージを前記応答メッセージ記憶部から読み出して送信する送信部とを備え、受信した発信者番号と一致する発信者番号に対応して前記強制呼び出し設定が前記呼び出し設定部に設定されている場合には、時間帯に基づく応答メッセージの送信を行わないことを特徴とする通信端末。
【請求項８】 発信側端末の発信者番号を含む呼設定信号を受信する受信部、
予め発信者番号と複数の時間帯に応じた応答メッセージとを対応付けて記憶する記憶部、前記呼設定信号に含まれる発信者番号及び該呼設定信号を受信した時間帯に基づいて、前記記憶部に記録されている前記応答メッセージを選択する応答メッセージ選択部、この選択された応答メッセージを用いて前記呼設定信号に対し着信応答するよう制御する制御部を備える通信端末。
【請求項９】 記憶部は、応答メッセージの時間切り換え機能を作動させる時間切り換えコードを発信者番号と対応付けて記憶し、応答メッセージ選択部は、受信した発信者番号と一致する発信者番号に対応して前記時間切り換えコードが前記記憶部に記憶されているときに、発信者番号及び時間帯に基づいて応答メッセージを選択することを特徴とする請求項８に記載の通信端末。
【請求項１０】 記憶部は、強制呼び出し機能を作動させる強制呼び出しコードを発信者番号と対応付けて記憶しており、応答メッセージ選択部は、受信した発信者番号と一致する発信者番号に対応して前記強制呼び出しコードが前記記憶部に記憶されているときには、動作しないことを特徴とする請求項８に記載の通信端末。
【請求項１１】 メッセージ応答機能と強制呼び出し機能とを選択して着信可能な通信端末において、発信側端末の発信者番号を含む呼設定信号を受信する受信部、予め発信者番号と時間帯に応じた前記機能とを対応付けて記憶する記憶部、前記呼設定信号に含まれる発信者番号と該呼設定信号を受信した時間帯とに基づいて、前記記憶部から選択された機能で着信するよう制御する制御部を備える通信端末。
【発明の詳細な説明】
【０００１】
【発明の属する技術分野】
この発明は、発信者番号と時刻に応じて応答メッセージを切り替える留守番機能を有し、また、発信者番号を用いて他の電話機から遠隔操作を行うことができる携帯電話に関するものである。
【０００２】
【従来の技術】
発信者番号に応じて応答メッセージを切り替える留守番機能を有した移動通信端末が特開平１０−６６１４５号公報にて開示されている。発信側端末の発呼に伴う着信側端末への着呼信号には、発信側端末の発信者番号、着信側端末を制御する制御情報などが付加されており、この発信者番号、制御情報に基づいて、着信側端末は留守番モードの切り替えや応答メッセージの切り替えを行う。応答メッセージは図７に示すように相手対象別のメッセージを自作して事前に登録されたもので、各メッセージにはメッセージ番号が割りあてられている。
【０００３】
また、特開平１０−１２６４９５号公報及び特開平９−１８２１５８号公報は別の電話機から紛失した携帯電話を遠隔操作してダイアルロック機能の設定が可能な携帯電話を提案している。特開平１０−１２６４９５号公報には、紛失した携帯電話にリモート操作信号を入力することにより、その携帯電話が通信できる相手先の電話番号を固定するとともに、メモリーに関する操作の禁止を行い、個人情報の漏洩と携帯電話の不正使用を防止する「移動無線通信装置」が開示されている。また、特開平９−１８２１５８号公報には、別の電話機を使用して基地局に（紛失した携帯電話の）不正使用を禁止する強制ロック登録を行い、不正使用による発信を防止する「携帯電話」が開示されている。
【０００４】
【発明が解決しようとする課題】
携帯電話は時間、場所等の制約を受けずにコミュニケーションを図ることができるという利便性が評価され急速に普及している。しかし、携帯電話を実際に「いつでも、どこでも」利用するには様々な制約があるので、電話に出られないとき、利用者は留守番機能を活用することになる。特開平１０−６６１４５号公報に記載された従来の移動通信端末は、発信者番号に応じて応答メッセージを切り替える留守番機能を備えている。しかし、特定の発信者であっても時間に応じて応答メッセージを切り替えたい場合には従来の移動通信端末では対応できない。
【０００５】
また、ある特定の発信者からの電話には出る必要があるが、その他の発信者からの電話には出たくないという状況を想定したとき、その要求を満たす留守番機能は、事前に登録した発信者から通話があったときには、留守番機能が設定されていても、利用者を呼び出す強制呼び出し機能を備えている必要がある。
【０００６】
また、従来の携帯電話は、遠隔操作により紛失した携帯電話に電話をかけてダイアルロックをかけるのに暗証番号を入力する必要があった。しかし、暗証番号を忘れると必要なときにダイアルロックを設定できないという問題がある。
【０００７】
本発明は、発信者と当該発信者からの着呼が発生した時刻によって、応答メッセージ選択や、利用者の強制呼び出し等の機能を制御することが可能な留守番機能を有する携帯電話等の移動通信端末を提供することを第一の目的とする。また、上記機能に加えて、ダイアルロック及び伝言メモ設定操作等の遠隔操作を許可する端末番号（発信者番号）をあらかじめ指定しておくことにより、暗証番号を入力せずに遠隔操作を実行することができる携帯電話を提供することを第二の目的とする。
【０００８】
【課題を解決するための手段】
本発明にかかる移動通信端末は、発信側端末の発信者番号を含む呼設定信号を受信する受信部と、発信者番号及び時間帯に応じた応答メッセージ情報を対応付けて記憶する発信者番号記憶部と、発信者に応答する複数の応答メッセージを前記応答メッセージ情報と対応付けて記憶する応答メッセージ記憶部と、前記呼設定信号に含まれる発信者番号及び該呼設定信号を受信した時間帯に基づいて、前記応答メッセージ記憶部に記録されている前記応答メッセージ情報を選択する応答メッセージ選択部と、この応答メッセージ選択部の選択した前記応答メッセージ情報に対応する前記応答メッセージを前記応答メッセージ記憶部から読み出して送信する送信部とを備えたものである。
【０００９】
また、発信者番号記憶部は、時間切り換え機能を作動させる時間切り換えコードを発信者番号と対応付けて記憶し、応答メッセージ選択部は、受信した発信者番号と一致する発信者番号に対応して前記時間切り換えコードが前記発信者番号記憶部に記憶されているときに、発信者番号及び時間帯に基づいて応答メッセージ情報を選択するものである。
【００１０】
また、発信者番号記憶部は、強制呼び出し機能を作動させる強制呼び出しコードを発信者番号と対応付けて記憶しており、応答メッセージ選択部は、受信した発信者番号と一致する発信者番号に対応して前記強制呼び出しコードが前記発信者番号記憶部に記憶されているときには、発信者番号及び時間帯に基づく応答メッセージ情報部の選択を行わないものである。
【００１１】
また、発信側端末の発信者番号を含む呼設定信号を受信する受信部と、発信者番号及び時間帯に応じた応答メッセージを対応付けて記憶する記憶部と、前記呼設定信号に含まれる発信者番号及び該呼設定信号を受信した時間帯に基づいて、前記記憶部に記録されている前記応答メッセージを選択する応答メッセージ選択部と、この応答メッセージ選択部の選択した前記応答メッセージを前記応答メッセージ記憶部から読み出して送信する送信部とを備えたものである。
【００１２】
また、記憶部は、時間切り換え機能を作動させる時間切り換えコードを発信者番号と対応付けて記憶し、応答メッセージ選択部は、受信した発信者番号と一致する発信者番号に対応して前記時間切り換えコードが前記記憶部に記憶されているときに、発信者番号及び時間帯に基づいて応答メッセージを選択するものである。
【００１３】
また、記憶部は、強制呼び出し機能を作動させる強制呼び出しコードを発信者番号と対応付けて記憶しており、応答メッセージ選択部は、受信した発信者番号と一致する発信者番号に対応して前記強制呼び出しコードが前記記憶部に記憶されているときには、発信者番号及び時間帯に基づく応答メッセージの選択を行わないものである。
【００１４】
また、発信側端末の発信者番号を含む呼設定信号を受信する受信部と、発信者番号と対応付けて強制呼び出しを設定する強制呼び出し設定部と、時間帯に応じた複数の応答メッセージを記憶する応答メッセージ記憶部と、前記呼設定信号を受信した時間帯に基づいて、前記応答メッセージ記憶部に記録されている前記応答メッセージを選択する応答メッセージ選択部と、この応答メッセージ選択部の動作に応じて前記応答メッセージを前記応答メッセージ記憶部から読み出して送信する送信部とを備え、受信した発信者番号と一致する発信者番号に対応して前記強制呼び出し設定が前記呼び出し設定部に設定されている場合には、時間帯に基づく応答メッセージの送信を行わないものである。
【００１５】
また、発信側端末の発信者番号を含む呼設定信号を受信する受信部、予め発信者番号と複数の時間帯に応じた応答メッセージとを対応付けて記憶する記憶部、
前記呼設定信号に含まれる発信者番号及び該呼設定信号を受信した時間帯に基づいて、前記記憶部に記録されている前記応答メッセージを選択する応答メッセージ選択部、この選択された応答メッセージを用いて前記呼設定信号に対し着信応答するよう制御する制御部を備えるものである。
【００１６】
また、記憶部は、応答メッセージの時間切り換え機能を作動させる時間切り換えコードを発信者番号と対応付けて記憶し、応答メッセージ選択部は、受信した発信者番号と一致する発信者番号に対応して前記時間切り換えコードが前記記憶部に記憶されているときに、発信者番号及び時間帯に基づいて応答メッセージを選択するものである。
【００１７】
また、記憶部は、強制呼び出し機能を作動させる強制呼び出しコードを発信者番号と対応付けて記憶しており、応答メッセージ選択部は、受信した発信者番号と一致する発信者番号に対応して前記強制呼び出しコードが前記記憶部に記憶されているときには、動作しないものである。
【００１８】
また、記憶部は、強制呼び出し機能を作動させる強制呼び出しコードを発信者番号と対応付けて記憶しており、応答メッセージ選択部は、受信した発信者番号と一致する発信者番号に対応して前記強制呼び出しコードが前記記憶部に記憶されているときには、動作しないものである。
【００１９】
【発明の実施の形態】
実施の形態１．
図１はこの発明の実施の形態１にかかる移動通信端末の構成を示すブロック図である。図２は呼設定メッセージを示す説明図、図３は留守番機能を制御するフローチャートを示す図、図４は発信者番号登録テーブルを示す説明図である。
【００２０】
図１に示す移動通信端末において、１は変調波を送受信するアンテナ、２は変調波の周波数を変換する周波数変換部（ＲＦ／ＩＦ部）、３は、ベースバンド信号に応じて搬送波を変調あるいはアンテナ１が受信した変調波からベースバンド信号を取り出す復調をおこなう変復調部、４はベースバンド信号にＴＤＭＡ信号処理を行うデジタル信号処理回路、５はベースバンド信号処理を行う音声信号処理回路、６は制御部、７は時刻計数手段である時計回路を含む時間監視部、８はメモリ、９はデータ入力を行うキーボード、１０はスピーカ、１１はマイク、１２はリモート操作制御部である。
【００２１】
メモリ８は発信者番号記憶手段、応答メッセージ選択手段の機能を果たすものであり、図４に示すような発信者番号、発信者名、制御コード（時間切り換え、強制呼び出し、時間帯１または２に選択する応答メッセージ番号）が登録されている。また、制御手段９は、メモリ８を参照して、発信者番号より発信側端末を認識する発信側端末認識手段、発信者番号より発信者を認識する発信者識別手段、発信者に応じて応答メッセージを選択する応答メッセージ選択手段、これらの機能を制御する端末制御手段を備えている。
【００２２】
図２は、発信先の移動通信端末から送信され、着信側の移動通信端末のアンテナが受信する受信信号を構成する呼設定メッセージを示す説明図である。図２に示す呼設定メッセージが基地局から着信先の移動通信端末に送られることにより着呼が発生する。呼設定メッセージはプロトコル識別子、呼出番号を示す呼番号、発信者番号を示す発番号、発信者サブアドレスを示す発サブアドレスから構成されている。
【００２３】
実施の形態１にかかる移動通信端末の留守番機能は、（１）発信者に応じて応答メッセージを選択する「応答メッセージ選択機能」と、（２）あらかじめ指定した発信者から着呼が発生すれば、利用者を呼び出す「強制呼び出し機能」とを時間に基づいて制御するものである。以下、図３に基づいて説明する。
【００２４】
ｓ３０１にて待ち受け状態にある携帯電話（以下、当該端末と称す）に、相手方からの着信が発生すると（ｓ３０２）、所定時間経過した後（ｓ３０３）、着信応答（ｓ３０４）する。その後、図４に示す発信者番号登録テーブルを参照する（ｓ３０５）。呼設定メッセージから読み出された発ＩＤが発信者番号登録テーブルに登録されていることが確認されれば（ｓ３０６）、強制呼び出し設定がなされているか確認する処理を行う（ｓ３０７）。強制呼び出し設定がなされていれば、音声通話がなされ（ｓ３０８）、通話が終了すると（ｓ３０９）、待ち受け状態（ｓ３１０）に戻る。
【００２５】
呼設定メッセージから読み出された発ＩＤが発信者番号登録テーブルに登録されていないことが確認されれば（ｓ３０６）、ｓ３１７にて固定メッセージが網側へ送出され、送出された固定メッセージを受けて、相手方が残したメッセージを録音する処理（ｓ３１４）を行った後、ｓ３０９以降の処理が実行される。
【００２６】
また、発ＩＤが発信者番号登録テーブルに登録されているものの、強制呼び出し設定がなされていない場合、着信が発生した時間と発信者に応じてメッセージを選択する処理がｓ３１１以降で実行される。ｓ３１１にて発信者番号登録テーブルを参照し、当該発信者に対して時間切り換え設定がなされていることが確認されれば、当該発信者からの着信があった時間を確認する処理を行う（ｓ３１２）。着信が発生した時間は、図１の時間監視部７に含まれる時刻計数回路により検出される。当該発信者からの着信が発生した時間が時間帯１に含まれる時間であれば、発信者及び時間帯１に指定された応答メッセージが選択され（ｓ３１３）、発信者のメッセージを録音する処理を行う（ｓ３１４）。
【００２７】
当該発信者からの着信が発生した時間が時間帯１に含まれる時間でなければ、発信者及び時間帯２に指定された応答メッセージが選択され（ｓ３１５）、発信者のメッセージを録音する処理を行う（ｓ３１４）。また、時間切り換え設定がなされていない発信者からの着信であれば、発信者別に指定されたメッセージが選択されて網側へ送信され（ｓ３１６）、発信者のメッセージを録音する処理を行う（ｓ３１４）。以降の処理はｓ３０９にて実行される。
【００２８】
以上説明したように、実施の形態１にかかる移動通信端末は、発信者に応じて応答メッセージを選択する「応答メッセージ選択機能」と、あらかじめ指定した発信者から着信があれば、端末利用者を呼び出す「強制呼び出し機能」とを備えたものであって、さらに、これらの機能を時間に基づいて制御するものである。従って、端末利用者は、電話してきそうな発信者を想定して、発信者に対応して端末の機能を設定できる。
【００２９】
実施の形態２．
図５は実施の形態２にかかる移動通信端末の遠隔操作機能を制御するフローチャートを示す図である。ｓ５０１にて待ち受け状態にある携帯電話（以下、当該端末と称す）に、相手方からの着信が発生すると（ｓ５０２）、呼設定メッセージから読み出された発ＩＤが発信者番号登録テーブルに登録されており、かつ遠隔操作許可がなされていることが確認されれば（ｓ５０３）、所定時間が経過した後（ｓ５０４）、着信応答（ｓ５０５）する。
【００３０】
その後、発信者によってダイヤルロック設定用番号が入力されると（ｓ５０６）、番号を確認する処理を行い（ｓ５０７）、一致すればダイアルロックをかける処理が行われる（ｓ５０８）。ダイアルロックがかけられると通話を終了させ（ｓ５０９）、待ち受け状態に戻る。一方、ダイアルロック設定用番号が一致しなかったとき、ｓ５１１にて、不一致回数のカウントが行われ、不一致回数が一定の数を超えると、ｓ５０６以前の処理にもどる。
【００３１】
以上説明したように、実施の形態２にかかる移動通信端末は、ダイアルロックを設定する際、暗証番号の入力を必要としないので、暗証番号を忘れた場合でも必要なときにダイアルロックをかけることができる。また、ダイアルロック等遠隔操作を許可する端末を、自宅の電話などに限定しておけば、第三者によってダイアルロックをかけられてしまう問題も生じない。
【００３２】
実施の形態３．
図６は実施の形態３にかかる移動通信端末の伝言メモ設定機能を制御するフローチャートを示す図である。ｓ６０１にて待ち受け状態にある携帯電話（以下、当該端末と称す）に、相手方からの着信が発生すると（ｓ６０２）、呼設定メッセージから読み出された発ＩＤが発信者番号登録テーブルに登録されており、かつ遠隔操作許可がなされていることが確認されれば（ｓ６０３）、所定時間が経過した後（ｓ６０４）、着信応答（ｓ６０５）する。
【００３３】
その後、発信者によって伝言メモ設定用番号が入力されると（ｓ６０６）、番号を確認する処理を行い（ｓ６０７）、一致すれば伝言メモ設定をかける処理が行われる（ｓ６０８）。伝言メモが設定されると通話を終了させ（ｓ６０９）、待ち受け状態に戻る（ｓ６１０）。一方、伝言メモ設定用番号が一致しなかったとき、ｓ６１１にて、不一致回数のカウントが行われ、不一致回数が一定の数を超えると（ｓ６１２）、ｓ６０６以前の処理にもどる。
【００３４】
以上説明したように、実施の形態３にかかる移動通信端末は、伝言メモを設定する際、暗証番号の入力を必要としないので、暗証番号を忘れた場合でも必要なときに伝言メモを設定できる。
【００３５】
【発明の効果】
この発明にかかる移動通信端末によれば、着呼信号に含まれる発信者番号に基づいて発信者別に応答メッセージを選択するとともに、時刻に応じて応答メッセージが自動的に切り替えられる留守番機能を備えたので、発信者に対してよりきめ細かな応答メッセージを用意することが可能になり、留守番機能が充実するという効果がある。
【００３６】
また、この発明にかかる移動通信端末によれば、着呼信号に含まれる発信者番号に応じてオフフック前に発信者を認識し、留守番機能が設定された状態であっても、事前に登録した特定の発信者からの通話があったときには携帯電話利用者を呼び出す強制呼び出し機能を備えたので、電話をかけてきた発信者のうち、電話に出なければならない人とそうでない人とを区別することができる。
【００３７】
また、この発明にかかる移動通信端末によれば、発信者の発信者番号と、当該端末にあらかじめ登録されている、遠隔操作許可コードが付されている発信者番号が一致すれば、ダイアルロック設定処理や伝言メモ設定処理等の遠隔操作の実行を許可するもので、あらかじめ登録された端末から電話することにより、暗証番号なしで遠隔操作を実行させることができる。
【図面の簡単な説明】
【図１】  本発明にかかる移動通信端末の構成を示すブロック図である。
【図２】  呼設定メッセージを示す説明図である。
【図３】  留守番機能を制御するフローチャートを示す図である。
【図４】  発信者番号登録テーブルを示す説明図である。
【図５】  実施の形態２にかかる移動通信端末の遠隔操作機能を制御するフローチャートを示す図である。
【図６】  実施の形態３にかかる移動通信端末の遠隔操作機能を制御するフローチャートを示す図である。
【図７】  従来の移動通信端末の留守番機能制御を説明するフローチャートを示す図である。
【符号の説明】
１  アンテナ
２  周波数変換部
３  変復調部
４  ＴＤＭＡ処理部
５  音声信号処理回路
６  制御部
７  時間監視部（時刻計数回路）
８  メモリ
９  キーボード
１０  スピーカ
１１  マイク
１２  リモート操作制御部